(57)【要約】番組情報取得部９により取得された番組情報を参照して、その番組に関連するアイコンを特定し、そのアイコンをリモコン１３の数字キー２１の配置と対応付けながらユーザインタフェース画面上に表示する。
2003032631.tif 000002
【特許請求の範囲】
【請求項１】
現在放送中又は放送予定の番組の番組情報を取得する番組情報取得手段と、上記番組情報取得手段により取得された番組情報を参照して、その番組に関連するアイコンを特定し、そのアイコンをリモコンのチャンネル選択ボタンの配置と対応付けながらユーザインタフェース画面上に表示するアイコン表示手段と、ユーザが任意のチャンネル選択ボタンを操作すると、そのチャンネル選択ボタンに対応するアイコンに係る番組を選択する番組選択手段とを備えた放送受信機。
【請求項２】
アイコン表示手段は、ある番組が録画され、その番組の番組情報が記録されている場合、その番組の番組情報を参照して、その番組に関連するアイコンを特定し、そのアイコンをリモコンのチャンネル選択ボタンの配置と対応付けながらユーザインタフェース画面上に表示することを特徴とする請求の範囲第１項記載の放送受信機。
【請求項３】
アイコン表示手段は、番組情報に対する検索条件が与えられた場合、その検索条件に合致する番組情報を参照して番組に関連するアイコンを特定することを特徴とする請求の範囲第１項記載の放送受信機。
【請求項４】
アイコン表示手段は、検索条件に合致する番組情報を参照して番組に関連するアイコンを特定しても、そのアイコンの個数がチャンネル選択ボタンの個数に満たない場合、その検索条件に合致しない番組情報も参照して番組に関連するアイコンを特定することを特徴とする請求の範囲第３項記載の放送受信機。
【請求項５】
アイコン表示手段は、番組に関連するアイコンの個数がチャンネル選択ボタンの個数を越える場合、それらのアイコンを複数のユーザインタフェース画面に振り分けることを特徴とする請求の範囲第１項記載の放送受信機。
【請求項６】
番組選択手段は、ユーザがページ間移動キーを操作すると、表示対象のユーザインタフェース画面を切り替えることを特徴とする請求の範囲第５項記載の放送受信機。
【請求項７】
アイコン表示手段により特定されるアイコンは、番組のジャンルを象徴する画像であることを特徴とする請求の範囲第１項記載の放送受信機。
【請求項８】
アイコン表示手段により特定されるアイコンは、番組の動画像であることを特徴とする請求の範囲第１項記載の放送受信機。
【請求項９】
アイコン表示手段により特定されるアイコンは、番組の動画像中の一部を構成する静止画像であることを特徴とする請求の範囲第１項記載の放送受信機。
【請求項１０】
アイコン表示手段により特定されるアイコンは、番組情報取得手段により取得された番組情報中の文字列に関連付けられていることを特徴とする請求の範囲第１項記載の放送受信機。
【請求項１１】
アイコン表示手段により特定されるアイコンは、番組情報取得手段により取得された番組情報中のビット列に関連付けられていることを特徴とする請求の範囲第１項記載の放送受信機。
【請求項１２】
アイコン表示手段により特定されるアイコンは、ユーザにより指定された文字列に関連付けられていることを特徴とする請求の範囲第１項記載の放送受信機。
【請求項１３】
アイコン表示手段は、リモコンのチャンネル選択ボタン上に示されている記号を対応するアイコンの近傍に表示することを特徴とする請求の範囲第１項記載の放送受信機。
【請求項１４】
アイコン表示手段は、現在選択されている番組の動画像をユーザインタフェース画面上に表示することを特徴とする請求の範囲第１項記載の放送受信機。
【請求項１５】
アイコン表示手段は、現在選択されている番組の番組情報をユーザインタフェース画面上に表示することを特徴とする請求の範囲第１項記載の放送受信機。
【請求項１６】
アイコン表示手段は、現在選択されている番組に対応するアイコンを、現在選択されていない番組に対応するアイコンと区別して表示することを特徴とする請求の範囲第１項記載の放送受信機。
【請求項１７】
アイコン表示手段は、現在選択されている番組に対応するアイコンを、現在選択されていない番組に対応するアイコンよりも、背景色に対してコントラスト比の高い色の枠で囲むことを特徴とする請求の範囲第１６項記載の放送受信機。
【請求項１８】
アイコン表示手段は、現在選択されている番組に対応するアイコンに対して３次元的視覚効果を施すことを特徴とする請求の範囲第１６項記載の放送受信機。
【請求項１９】
アイコン表示手段は、現在選択されている番組に対応するアイコンの色調を、現在選択されていない番組に対応するアイコンの色調と異ならせることを特徴とする請求の範囲第１６項記載の放送受信機。
【請求項２０】
アイコン表示手段は、現在選択されている番組に対応するアイコンのサイズを、現在選択されていない番組に対応するアイコンより大きくすることを特徴とする請求の範囲第１６項記載の放送受信機。
【請求項２１】
アイコン表示手段は、録画されている番組に対応するアイコンの上に特定の記号を表示することを特徴とする請求の範囲第２項記載の放送受信機。
【請求項２２】
アイコン表示手段は、ユーザにより１以上のアイコンが暫定的に指定された場合、これらのアイコンのみをユーザインタフェース画面上に表示することを特徴とする請求の範囲第１項記載の放送受信機。
【発明の詳細な説明】
技術分野
この発明は、番組選択を補助するユーザインタフェース画面を備えている放送受信機に関するものである。
背景技術
例えば、現在放送されているＢＳデジタル放送などにおいて、番組選択の際利用される電子番組ガイド（ＥＰＧ：Ｅｌｅｃｔｒｏｎｉｃ  Ｐｒｏｇｒａｍｍｉｎｇ  Ｇｕｉｄｅ）は、放送時刻とチャンネルを２つの軸としてマス目状に構成されている場合がほとんどである。しかし、このような表示法では、視聴可能なチャンネル数が非常に多いにも拘わらず、テレビの１画面に表示できる番組情報の数に限りがあるため、見たい番組を探すのが困難である。
特開２００１−１４８８１２号公報に示されている情報表示装置の放送受信機は、テレビ放送を初めとして、外部入力、インターネットなどの様々な情報源に対して、第１図に示すようなインタフェースを提供し、これら情報源に対するアイコン３０１，３０２を第２図に示すようなリモコンで選択することにより、画面に表示する情報を決定している。
即ち、リモコンでアイコン３０１，３０２を選択する際には、カーソル移動キー３１２〜３１５によってカーソルを移動させて所望のチャンネルを選択し、その後、エンターキー３１１を押すことにより、画面に表示する情報を決定するようにしている。
従来の放送受信機は以上のように構成されているので、ユーザが見たい番組を探しながら高速にチャンネルを切り替える「ザッピング」を行うことが困難である課題があった。
例えば、ｃｈ１に対応するアイコン３０１の位置にカーソルがある場合、ＷＥＢに対応するアイコン３０２の位置にある番組を選択するには、カーソル移動キー３１２〜３１５によってカーソルを例えば右、右、下、右といったように移動させた後、エンターキー３１１を押す必要がある。この場合、ユーザは計５回ものボタン操作を行う必要があり、高速にチャンネルを切り替えることが困難であった。
この発明は上記のような課題を解決するためになされたもので、ユーザのリモコン操作を簡単化することができる放送受信機を得ることを目的とする。
発明の開示
この発明に係る放送受信機は、番組情報取得手段により取得された番組情報を参照して、その番組に関連するアイコンを特定し、そのアイコンをリモコンのチャンネル選択ボタンの配置と対応付けながらユーザインタフェース画面上に表示するようにしたものである。
このことによって、ユーザのリモコン操作を簡単化することができる効果がある。
この発明に係る放送受信機は、ある番組が録画され、その番組の番組情報が記録されている場合、その番組の番組情報を参照して、その番組に関連するアイコンを特定し、そのアイコンをリモコンのチャンネル選択ボタンの配置と対応付けながらユーザインタフェース画面上に表示するようにしたものである。
このことによって、録画番組の選択操作も放送中の番組操作と同様に簡単化することができる効果がある。
この発明に係る放送受信機は、番組情報に対する検索条件が与えられた場合、その検索条件に合致する番組情報を参照して番組に関連するアイコンを特定するようにしたものである。
このことによって、所望の番組を速やかに選択することができる効果がある。
この発明に係る放送受信機は、検索条件に合致する番組情報を参照して番組に関連するアイコンを特定しても、そのアイコンの個数がチャンネル選択ボタンの個数に満たない場合、その検索条件に合致しない番組情報も参照して番組に関連するアイコンを特定するようにしたものである。
このことによって、検索条件に合致しない番組も選択することができる効果がある。
この発明に係る放送受信機は、番組に関連するアイコンの個数がチャンネル選択ボタンの個数を越える場合、それらのアイコンを複数のユーザインタフェース画面に振り分けるようにしたものである。
このことによって、番組に関連するアイコンの個数がチャンネル選択ボタンの個数を越える場合にも対処することができる効果がある。
この発明に係る放送受信機は、ユーザがページ間移動キーを操作すると、表示対象のユーザインタフェース画面を切り替えるようにしたものである。
このことによって、番組に関連するアイコンの個数がチャンネル選択ボタンの個数を越える場合にも、所望の番組を速やかに選択することができる効果がある。
この発明に係る放送受信機は、アイコン表示手段により特定されるアイコンが番組のジャンルを象徴する画像であるようにしたものである。
このことによって、ユーザがアイコンを見ることによって番組の内容を容易に連想することができる効果がある。
この発明に係る放送受信機は、アイコン表示手段により特定されるアイコンが番組の動画像であるようにしたものである。
このことによって、ユーザがアイコンを見ることによって番組の内容を容易に連想することができる効果がある。
この発明に係る放送受信機は、アイコン表示手段により特定されるアイコンが番組の動画像中の一部を構成する静止画像であるようにしたものである。
このことによって、ユーザがアイコンを見ることによって番組の内容を容易に連想することができる効果がある。
この発明に係る放送受信機は、アイコン表示手段により特定されるアイコンが番組情報取得手段により取得された番組情報中の文字列に関連付けられているようにしたものである。
このことによって、ユーザがアイコンを見ることによって番組の内容を容易に連想することができる効果がある。
この発明に係る放送受信機は、アイコン表示手段により特定されるアイコンが番組情報取得手段により取得された番組情報中のビット列に関連付けられているようにしたものである。
このことによって、ユーザがアイコンを見ることによって番組の内容を容易に連想することができる効果がある。
この発明に係る放送受信機は、アイコン表示手段により特定されるアイコンがユーザにより指定された文字列に関連付けられているようにしたものである。
このことによって、ユーザが番組選択をより直感的に行うことができる効果がある。
この発明に係る放送受信機は、リモコンのチャンネル選択ボタン上に示されている記号を対応するアイコンの近傍に表示するようにしたものである。
このことによって、ユーザがリモコンのチャンネル選択ボタンとアイコンの対応関係を容易に把握することができる効果がある。
この発明に係る放送受信機は、現在選択されている番組の動画像をユーザインタフェース画面上に表示するようにしたものである。
このことによって、現在選択されている番組を確認することができる効果がある。
この発明に係る放送受信機は、現在選択されている番組の番組情報をユーザインタフェース画面上に表示するようにしたものである。
このことによって、現在選択されている番組の番組情報を確認することができる効果がある。
この発明に係る放送受信機は、現在選択されている番組に対応するアイコンを、現在選択されていない番組に対応するアイコンと区別して表示するようにしたものである。
このことによって、現在選択されている番組に対応するアイコンを容易に把握することができる効果がある。
この発明に係る放送受信機は、現在選択されている番組に対応するアイコンを、現在選択されていない番組に対応するアイコンよりも、背景色に対してコントラスト比の高い色の枠で囲むようにしたものである。
このことによって、現在選択されている番組に対応するアイコンを容易に把握することができる効果がある。
この発明に係る放送受信機は、現在選択されている番組に対応するアイコンに対して３次元的視覚効果を施すようにしたものである。
このことによって、現在選択されている番組に対応するアイコンを容易に把握することができる効果がある。
この発明に係る放送受信機は、現在選択されている番組に対応するアイコンの色調を、現在選択されていない番組に対応するアイコンの色調と異ならせるようにしたものである。
このことによって、現在選択されている番組に対応するアイコンを容易に把握することができる効果がある。
この発明に係る放送受信機は、現在選択されている番組に対応するアイコンのサイズを、現在選択されていない番組に対応するアイコンより大きくするようにしたものである。
このことによって、現在選択されている番組に対応するアイコンを容易に把握することができる効果がある。
この発明に係る放送受信機は、録画されている番組に対応するアイコンの上に特定の記号を表示するようにしたものである。
このことによって、録画番組を簡単に識別することができる効果がある。
この発明に係る放送受信機は、ユーザにより１以上のアイコンが暫定的に指定された場合、これらのアイコンのみをユーザインタフェース画面上に表示するようにしたものである。
このことによって、ユーザが興味のある番組を段階的に絞込みながら視聴する番組を探すことができる効果がある。
発明を実施するための最良の形態
以下、この発明をより詳細に説明するために、この発明を実施するための最良の形態について、添付の図面に従って説明する。
実施の形態１．
第３図はこの発明の実施の形態１による放送受信機を示す構成図であり、図において、１は放送波を受信するアンテナ、２は放送波から選択された番組が含まれるストリームを抽出するチューナ、３はチューナ２により抽出されたストリームから所望の番組の映像・音声データと全チャンネルの番組情報を分離するデマルチプレクサ、４はデマルチプレクサ３により分離された番組の映像・音声データを復号化するデコーダ、５はデコーダ４により復号化された音声データをスピーカ６に入力する電気信号の形に変換する音声処理部、６はスピーカ、７はデコーダ４により復号化された映像データとユーザインタフェース部１１から出力されたユーザインタフェース画面のデータを統合し、表示装置８に出力できる形に変換するグラフィクス処理部、８は表示装置である。
９はデマルチプレクサ３により分離された現在放送中又は将来放送予定の番組の番組情報を取得して一定時間保存する番組情報取得部（番組情報取得手段）、１０は予め各種の番組に関連するアイコンが記録されたアイコン記録部、１１は番組情報取得部９により取得された番組情報を参照して、その番組に関連するアイコンを特定し、そのアイコンをリモコンのチャンネル選択ボタンの配置と対応付けながらユーザインタフェース画面上に表示するユーザインタフェース部であり、ユーザインタフェース部１１はリモコン受信部１４からリモコンコードを受けると、そのリモコンコードに対応するアイコンのチャンネル割当情報を番組割当管理部１２から取得して、チャンネルの変更指令をシステム制御部１５に出力する処理を実行する。
なお、アイコン記録部１０及びユーザインタフェース部１１からアイコン表示手段が構成されている。
１２はリモコン１３のチャンネル選択ボタンがどのアイコンに割り当てられているかを管理する番組割当管理部、１３はユーザが放送受信機に対する操作を行うリモコン、１４はリモコン１３から送信された赤外線信号を電気的な信号（リモコンコード）に変換し、そのリモコンコードをユーザインタフェース部１１に出力するリモコン受信部、１５はユーザインタフェース部１１から出力されるチャンネルの変更指令にしたがって表示対象のチャンネルを変更するシステム制御部である。
なお、ユーザインタフェース部１１、番組割当管理部１２、リモコン受信部１４及びシステム制御部１５から番組選択手段が構成されている。
第４図はリモコン１３を示す平面図であり、図において、２１は数字キー（チャンネル選択ボタン）、２２ａ〜２２ｄは方向キー、２３は決定キー、２４ａはチャンネルのアップキー、２４ｂはチャンネルのダウンキー、２５，２６はアイコン集合が複数ページに渡る場合に使用されるページ間移動キー、２７はアイコン登録用のボタン、２８はアイコンチェック用のボタン、２９は通常のＴＶ視聴からザッピングモードへ移行する際に使用するザッピングモード移行キーである。
第５図はユーザインタフェース画面を示す画面図であり、図において、３１はリモコン１３の数字キー２１の配置に対応するアイコン集合、３２は現在選択中のアイコンを示すカーソル、３３は現在選択中のアイコンに対応する番組の動画像、３４は現在選択中のアイコンに対応する番組の番組情報である。
次に動作について説明する。
ユーザが通常のＴＶ視聴時にザッピングモード移行キー２９を押すと、リモコン受信部１４がリモコン１３から赤外線信号を受信し、ザッピングモード移行キー２９が押されたことを示すリモコンコードをユーザインタフェース部１１に出力する。
ユーザインタフェース部１１は、リモコン受信部１４からリモコンコードを受けることにより、ザッピングモード移行キー２９が押されたことを検出すると、番組情報取得部９から番組情報を取得し、現在放送中又は将来放送予定の番組を調べる。
そして、ユーザインタフェース部１１は、番組情報に含まれているジャンル情報を参照して、アイコン記録部１０から各番組のジャンルに対応するアイコンを取得する（第６図を参照）。
このとき、アイコンは文字列であるジャンル情報によって関連付けられているが、例えば、番組情報中における特定のビット列に関連付けておくこともできる。また、第６図に示されているアイコンは、単純にジャンルの名前を枠で囲っただけのものであるが、例えば、ジャンルが野球であればバットとボール、サッカーであればサッカーボールなど、そのジャンルを象徴する画像をアイコンとしてもよい。また、アイコン内に番組名の一部を表示してもよい。
ユーザインタフェース部１１は、上記のようにして各番組のジャンルに対応するアイコンを取得すると、現在時刻において放送されている番組に対して、リモコン１３上の数字キー２１の配置と１対１に対応するように、ユーザインタフェース画面上にアイコンを配置して表示する。また、数字キー２１のそれぞれのボタンとアイコン集合３１との対応付けをユーザが容易に理解できるように、各アイコンの近傍に数字キー２１のボタンに記されている数字を表示する。
このとき各番組のアイコンは、数字キー２１上の各ボタンに対して、番組のチャンネル番号、ジャンル、または、ユーザの当該番組に対する視聴頻度などを基準にして、ボタン番号１、２、３、・・・、８、９、０という順序で並べられる。
また、ユーザインタフェース部１１は、それぞれの番組をリモコン１３の数字キー２１上のボタンに対応付けたのち、番組の番組情報を参照して、第７図に示すような数字キー２１上のボタンに対するチャンネルの割当を求め、そのボタンに対するチャンネルの割当情報を番組割当管理部１２に出力して保存・管理を指示する。
その後、ユーザが数字キー２１によるリモコン操作を行うと、ユーザインタフェース部１１は、リモコン受信部１４からリモコンコードを受けることにより、操作が行われた数字キー２１のボタンに対応するチャンネルを番組割当管理部１２に対して問い合わせる。
ユーザインタフェース部１１は、番組割当管理部１２から対応するチャンネルの回答を受けると、そのチャンネルへの変更指令をシステム制御部１５に出力する。
システム制御部１５は、ユーザインタフェース部１１からチャンネルの変更指令を受けると、その変更指令にしたがってチューナ２やデマルチプレクサ３を制御して、表示装置８に表示される番組を指定されたチャンネルの番組に変更する。
第５図の例では、選択されたチャンネルの動画像３３がグラフィクス処理部７でユーザインタフェースと合成されるよう処理され、選択したアイコンと同一画面に表示されている。また、ユーザインタフェース部１１は、選択されたアイコンに対応する番組の番組情報３４もアイコン集合３２や動画像３３と伴に同一画面に表示するようユーザインタフェース画面を構成している。
なお、ユーザインタフェース部１１は、システム制御部１５に対してチャンネルの切替要求を行うとともに、ユーザが選択したアイコンに対してカーソル３２を合わせるなどの処理も実行する。
因みに、ユーザにより選択されたアイコンには、背景色に対してコントラスト比の高い色の枠で囲む処理や、ユーザにより選択されたアイコンを立体的に見せるなどの３次元的視覚効果を施す処理や、ユーザにより選択されたアイコン自体のサイズを、選択されていないアイコンよりも大きくしたり、選択されたアイコンの色調を選択されていないアイコンの色調とは異ならせたりすることによって、ユーザにより選択されたアイコンが選択していないアイコンとはっきりと区別できるようユーザインタフェース画面を構成する。
第５図の例では、数字キー２１上のボタン「６」に対応するアイコンが選択され、アイコンの周囲を背景色に対してコントラスト比の高い色の枠で囲んでいる。
上の例では、表示されたアイコンを参照しながら、直接数字キーを押すことにより番組選択を行っていたが、方向キー２２ａ〜２２ｄによってカーソルを移動させた後、決定キー２３によって番組選択を行ってもよい。また、チャンネルのアップキー２４ａ、ダウンキー２４ｂを押すことによって番組選択を行ってもよい。第５図の例において、カーソル３２が「６」のボタン位置に対応するアイコンの位置にあるので、アップキー２４ａを押した場合には、カーソル３２は７、８、９、０、１、２、・・・というようにアイコン上を移動する。また、ダウンキー２４ｂを押した場合には、カーソル３２は５、４、３、２、１、０、９、・・・というようにアイコン上を移動する。
以上のように、リモコン１３の数字キー２１の配置に対応した形でアイコンを表示するユーザインタフェース画面を表示することにより、ユーザはアイコンによって番組に関する大まかな情報を視覚的に得ながら、数字キー２１を操作して番組を高速に選択するザッピングを行うことができる。また、方向キー２２ａ〜２２ｄやチャンネルのアップ／ダウンキー２４ａ，２４ｂなどを用いることによって、従来通りの操作法にも対応することができる。
実施の形態２．
第８図はこの発明の実施の形態２による放送受信機を示す構成図であり、図において、第３図と同一符号は同一または相当部分を示すので説明を省略する。
１６はデマルチプレクサ３により分離された映像・音声データ及び番組情報を記録する番組記録部である。
次に動作について説明する。
ユーザから番組の録画が指示された場合、ユーザインタフェース部１１は、番組の録画要求をシステム制御部１５に発行し、システム制御部１５は、指定された番組の録画を行うようチューナ２、デマルチプレクサ３、番組情報取得部９及び番組記録部１６を制御する。この際、番組記録部１６には、デマルチプレクサ３において分離されたデコード前の映像・音声データと番組情報が関連付けられて記録される。
これら録画番組に対しても、上記実施の形態１と同様に、アイコンによるユーザインタフェース画面を提供することができる（第９図を参照）。
即ち、ユーザインタフェース部１１は、番組記録部１６に記録された番組情報を番組情報取得部９を介して取得し、その番組情報に含まれているジャンル情報を参照して、アイコン記録部１０から当該番組のジャンルに対応するアイコンを取得する（第６図を参照）。
このとき取得される番組情報には、番組記録部１６に記録されている録画番組の再生可能位置が含まれている。ここで、再生可能位置とは、当該録画番組の先頭記録位置のことである。または、番組記録部１６が当該録画番組に対する再生履歴を記録することによって当該番組中において最後に見終わった位置などを与えてもよい。
また、ユーザインタフェース部１１は、録画番組であることを他の現在放送中の番組と区別するために、アイコンには録画番組であることを明示するような文字や記号を付加する。第９図の４２は録画番組のアイコンの一例であり、アイコンには録画番組であることを明示するため、［録画］という文字が表示されている。
次に、ユーザインタフェース部１１は、録画番組に対するアイコンの他に、現在放送中の番組に対しても上記実施の形態１で示したのと同様の方法でアイコンを取得してもよく、それら現在放送中の番組と録画番組に対応するアイコンをリモコン１３上の数字キー２１の配置と１対１に対応するようにユーザインタフェース画面上に配置して、これをアイコン集合４１とする。このとき各番組のアイコンは、番組のチャンネル番号、ジャンル、または、ユーザの当該番組に対する視聴頻度などを基準にして、ボタン番号１、２、３、・・・、８、９、０という順序で並べられる。
上記実施の形態１においては、数字キー２１上のボタンに対するチャンネルの割当を番組割当管理部１２が保存・管理していたが、この実施の形態２における録画番組については、ユーザインタフェース部１１が数字キー２１上のボタンと当該録画番組の再生可能位置を対応付けて保存・管理する要求を番組割当管理部１２に出力する。
ユーザからの入力が録画番組を選択するものであったら、ユーザインタフェース部１１は、当該録画番組のアイコンに対してカーソル４３を合わせるとともに、番組割当管理部１２から当該ボタンに対応する録画番組の再生可能位置を取得する。
これにより、ユーザインタフェース部１１は、システム制御部１５に対して番組記録部１６上の位置を指定して録画番組の再生要求を行う。第９図の例では、選択されたアイコンに対応する録画番組の動画像４４が、グラフィクス処理部７でユーザインタフェースと合成されるよう処理され、選択されたアイコンと同一画面に表示されている。また、ユーザインタフェース部１１は、選択されたアイコンに対応する録画番組の番組情報４５もアイコン集合４１や動画像４４と伴に同一画面に表示するようユーザインタフェース画面を構成している。
以上のように、リモコン１３の数字キー２１の配置に対応した形で録画番組に対してアイコンを表示するユーザインタフェース画面を構成することにより、ユーザはアイコンによって録画番組に関する大まかな情報を視覚的に得ながら、数字キー２１を操作して番組を高速に選択するザッピングを行うことができる。また、録画番組と現在放送中の番組を混在させてそれぞれに対応するアイコンを表示することにより、ユーザは録画番組と現在放送中の番組を区別することなく、その時の好みに応じた番組選択を行える。
実施の形態３．
第１０図はこの発明の実施の形態３による放送受信機を示す構成図であり、図において、第８図と同一符号は同一または相当部分を示すので説明を省略する。
１７はユーザからユーザインタフェース部１１を介して、番組情報に対する検索条件を取得する検索条件取得部、１８は番組情報取得部９により取得された番組情報のうち、その検索条件に合致する番組情報を検索してユーザインタフェース部１１に出力する検索部である。なお、検索条件取得部１７及び検索部１８はアイコン表示手段を構成している。
次に動作について説明する。
第１１図は番組検索と番組選択を行う場合のユーザインタフェース画面を示している。ユーザがユーザインタフェース画面の検索条件欄５１に検索条件を入力すると、検索条件取得部１７が入力された検索条件をユーザインタフェース部１１を介して取得する。
第１１図の例では、ユーザがジャンル「野球」を検索条件として入力し、その結果、ジャンルが「野球」である番組が録画番組も含めてアイコン集合５２として表示されている。また、ここでは、検索条件としてジャンルを指定したが、その他の任意の文字列によっても検索条件を指定することができる。
検索部１８は、現在放送中の番組もしくは番組記録部１６に記録された番組に対する番組情報を番組情報取得部９より取得し、検索条件取得部１７より得られた検索条件により番組検索を行う。
ユーザインタフェース部１１は、検索部１８において検索条件にマッチした番組の識別子を取得し、それら識別子によって番組情報取得部９から得られる番組情報の中から対応する番組情報を抽出する。
次に、それらの番組情報に対応するアイコンは、数字キー２１において数が小さい方のボタンから順に割り当てられ、第１１図に示すようなアイコン集合５２を生成する。このとき、第１１図の例では、検索条件にマッチしなかった番組のアイコンは無視され、アイコン集合５３には空のアイコンが割り当てられる。このアイコン集合５３に含まれるアイコンを選択しても番組選択は行われない。
また、第１２図に示すように、検索条件にマッチしなかったその他の番組のアイコンもアイコン集合５４として、ユーザインタフェース画面を構成することにより、これらアイコン集合５４に含まれるアイコンに対応する番組を選択可能としてもよい。
検索後ユーザインタフェース画面を構成するアイコンが確定したら、ユーザインタフェース部１１は、現在放送中の番組に対しては数字キー２１上のボタンに対するチャンネル割当、また録画番組に対しては番組記録部１６における当該番組の再生可能位置を保存・管理しておくよう、番組割当管理部１２に要求する。
以上のように、放送中の番組や録画済みの番組に対して、ジャンルや文字列によって番組を検索でき、番組検索後直ちに、リモコン１３の数字キー２１の配置に対応した形でアイコンを表示することにより番組選択を行えるようなユーザインタフェース画面を構成することによって、数多くの番組の中からジャンルや文字列などによってある程度番組の数を絞り込んでから、数字キーを操作して高速に番組を選択するザッピングを行うことができる。
実施の形態４．
上記実施の形態１〜３では、特に言及していないが、デジタル放送などの多チャンネル放送においては、ユーザが選択可能な番組の数が第４図に示した数字キー２１の個数を上回ることがある。また、上記実施の形態３で示したように、録画番組と放送中の番組を混在させてアイコン表示による番組選択を行う場合にも、数字キー２１の個数を上回ってしまうことが予想される。そのような場合は、第１３図に示すように、アイコンの表示を複数ページに渡って行うようにする。
ユーザインタフェース部１１は、まず番組情報取得部９から得た番組情報によってユーザが選択可能な番組数を調べる。その個数がリモコン１３の数字キー２１の個数より多ければ（１０個より多い場合）、選択可能な番組を番組のチャンネル番号、ジャンル別、または、ユーザの当該番組に対する視聴頻度などを基準にして並び替え、１０番組ずつを１ページに割り当てる処理を実行する。
第１４図はチャンネル番号を基準にして並び替えた番組の分割の様子を示す説明図である。第１４図（ａ）は並び替える前の番組を示し、図中の数字はチャンネル番号を示している。第１４図（ｂ）は、第１４図（ａ）に示した番組をチャンネル番号の昇順になるよう並び替えたものである。次に、第１４図（ｃ）に示すように先頭の方から１０番組ずつ分割し、それぞれを１ページに割り当てる処理を実行する。最後に余った１０個未満の番組も１ページに割り当てる処理を実行する。即ち、第１４図の例においては、番組が割り当てられるページは２ページということになる。
また、第１５図はジャンル別に番組を並び替えて番組を分割した様子を示す説明図である。このときには、ユーザインタフェース部１１は検索条件取得部１７に対してジャンル別検索の要求を行い、録画番組と放送中の番組の番組情報に対して検索部１８が検索を行う。
第１５図（ａ）は並び替える前の番組を表しており、図中の文字はそれぞれ、「ド」がドラマ、「映」が映画、「ス」がスポーツ、「音」が音楽、「バ」がバラエティ、「ア」がアニメ、「報」が報道のジャンルの番組であることを示している。第１５図（ｂ）は、第１５図（ａ）に示した番組をジャンル別に並び替えたものである。次に、第１５図（ｃ）に示すようにジャンル別に番組を分割し、それぞれを１ページに割り当てる処理を実行する。即ち、第１５図の例においては、番組が割当てられるページは７ページということになる。
以上に述べたように、ページ毎に番組に対応するアイコンを取得した後、ユーザインタフェース部１１は、数字キー２１上のボタンにアイコンを対応付けてアイコン集合６１，６２，６３を生成する。その後、数字キー２１上の各ボタンに対して、放送中の番組に対してはチャンネルを、また録画番組に対しては番組記録部１６上の位置を番組割当管理部１２に対して保存・管理しておくよう要求を出力する。番組割当管理部１２が管理する番組割当情報にはページ毎にインデックスを付けておき、ページ単位で情報を得ることが可能なようにしておく。
第１３図は３ページに渡ってアイコン表示を行うユーザインタフェース画面の例である。この図において、６１は１ページ目のアイコン集合、６２は２ページ目のアイコン集合、６３は３ページ目のアイコン集合、６４はページをページ番号に対して降順に移動するためのアイコン、６５はページをページ番号に対して昇順に移動するためのアイコンである。
ユーザインタフェース部１１は、第１３図に示すように、まず１ページ目のアイコン集合６１をユーザインタフェース画面上に構成する。この際、降順にページを移動するためのアイコン６４を第４図に示すリモコン１３の「＊」ボタン（ページ間移動キー２５）に割り当て、リモコン１３上での＊ボタンの配置と一致するようユーザインタフェース画面上に配置する。同様に、昇順にページを移動するためのアイコン６５をリモコン１３の「＃」ボタン（ページ間移動キー２６）に割り当て、これもリモコン１３上でのボタンの配置と一致するようユーザインタフェース画面上に配置する。
第１３図に示されるユーザインタフェース画面において、０〜９の数字キー２１が押されたときには、数字キー２１の各ボタンに対する１ページ目の番組割当情報を番組割当管理部１２より取得し、システム制御部１５に対してチャンネル切り替え、または、番組再生を指示する。
第１３図に示した１ページ目のアイコン集合が表示されている状態において、＃ボタンが押された際には、ユーザインタフェース部１１は、予め取得しておいた２ページ目のアイコン集合６２を表示する。２ページ目のアイコン集合６２が表示された状態において、０〜９の数字キー２１が押されたときには、押されたボタンに対する２ページ目の番組割当情報を番組割当管理部１２より取得し、システム制御部１５に対してチャンネル切り替え、または、番組再生を指示する。
一方、１ページ目のアイコン集合が表示されている状態において、＊ボタンが押された際には、予め取得しておいた３ページ目のアイコン集合６３を表示する。３ページ目のアイコン集合６３が表示された状態において、０〜９の数字キー２１が押されたときには、押されたボタンに対する３ページ目の番組割当情報を番組割当管理部１２より取得し、システム制御部１５に対してチャンネル切り替え、または、番組再生を指示する。
１ページ目が表示されている状態において＃ボタンを押した際には、２→３→１→２→・・・とページが送られ、逆に＊ボタンを押した際には、３→２→１→３→・・・とページが送られていく。
以上のように、リモコン１３の数字キー２１の配置に対応した形でアイコンを表示するユーザインタフェース画面を構成する際、選択可能な番組数が数字キー２１のボタン数を超えてしまう場合においても、数字キー２１に対するチャンネル割当を動的に変更することにより、複数ページに渡ってアイコンを表示し、ページ間を移動しながら高速に番組を選択するザッピングを行えるユーザインタフェース画面を提供することができる。また、一押しでページ間を移動できるボタンを付加することにより、ユーザの負担を少なくすることができる。
実施の形態５．
第１６図はこの発明の実施の形態５による放送受信機を示す構成図であり、図において、第８図と同一符号は同一または相当部分を示すので説明を省略する。
１９はデコーダ４により復号化された映像データである動画像の一部を構成する静止画像と、ユーザインタフェース部１１を介して得られるユーザからの文字列を関連付けて、アイコン記録部１０にアイコンの記録を行うアイコン取得部である。
次に動作について説明する。
ユーザが放送中の番組もしくは録画番組を視聴中に、リモコン１３上のアイコン登録用のボタン２７を押すと、ユーザインタフェース部１１はアイコン取得部１９に対してアイコンの取得要求を通知する。アイコンの取得要求を受け取ったアイコン取得部１９は、デコーダ４から出力された動画像のうち、ユーザがアイコン登録用のボタン２７を押した時点において表示されていた静止画像の取り込みを実施する。
ユーザインタフェース部１１は、アイコン取得部１９により取り込まれた静止画像を取得して、第１７図に示すような画面を構成する。第１７図おいて、７１は放送中または再生中の番組の動画像であり、７２はアイコン登録用のボタン２７の押下時に表示されていた静止画像であり、アイコン化した時のイメージが想像し易いように小さめのサイズで表示されている。また、７３は静止画像７２と対応付けるためユーザから取得する文字列である。第１７図の例では、静止画像７２に対して「スキー」という文字列７３がユーザより入力されている。
ユーザインタフェース部１１は、ユーザから静止画像７２と関連付ける文字列７３を取得した後、アイコン取得部１９に対して文字列７３を伝達する。アイコン取得部１９は、アイコン取得部１９内に予め保持してあった静止画像７２と文字列７３を関連付け、アイコン記録部１０にアイコンとして第６図の例に示すように登録する。
なお、ユーザインタフェース部１１がユーザインタフェース画面を生成するために、アイコン集合を生成する際には、選択の対象となる番組の番組情報に一致する文字列を持つアイコンをアイコン記録部１０から検索して取得するようにする。ここで、アイコンを取得する際、アイコン記録部１０には、上記実施の形態１において示したように、ジャンルに対応するアイコンが予め登録されているので、一つの番組に対して、ユーザが登録したアイコンと、予め登録されているジャンルに対応するアイコンがマッチしてしまうことになる。このような場合、番組に対応させるアイコンの優先度は、
ジャンルのアイコン  ＜  ユーザ登録アイコン
とする。
また、一つの番組に対してユーザが登録した複数個のアイコンが対応する場合、番組に対応させるアイコンは、ユーザが最後に登録したアイコンとする。
以上のように、ユーザが放送中または録画済みの番組動画像の中から取り込んだ静止画像を特定の文字列と関連付けて、番組選択時に用いるアイコンとすることにより、ユーザは自分の注目している番組が番組選択時に利用可能であることを視覚的に理解することができ、番組選択をより直感的に行えるようになる。
実施の形態６．
第１８図はこの発明の実施の形態６による放送受信機を示す構成図であり、図において、第８図と同一符号は同一または相当部分を示すので説明を省略する。
２０はユーザによって指定されたユーザインタフェース画面上のアイコンの管理を行う指定アイコン管理部である。
選択可能な番組が多数ある場合、いくつかの候補番組を比較しながら最終的に見る番組を選ぶということがある。しかし、上記実施の形態４で示したような、多数の番組に関連付けられた数ページに渡るアイコンの中から番組選択を行う際には、一旦ページを移動してしまうと、それまで気になっていた番組がどのアイコンに対応していたのかが分かりずらくなってしまうおそれがある。
この実施の形態６は、上に述べたような問題を回避するため、ユーザが気になる番組のアイコンを一旦チェックしておき、後でチェックしておいたアイコンをまとめて表示することを可能にするものである。
次に動作について説明する。
第１９図は上記実施の形態４で示したような、複数のページからなるユーザインタフェース画面において、ユーザが気になる番組に対してチェックを行った様子を示す説明図である。
第１９図において、８１は１ページ目に対応するアイコン集合、８２は２ページ目に対応するアイコン集合、８３は３ページ目に対応するアイコン集合、８４は現在選択中のアイコン示すカーソルであり、８５はリモコン１３のアイコンチェック用のボタン２８を押すことにより表示されるチェックマークである。
ユーザは、数字キー２１、または、方向キー２２ａ〜２２ｄによってカーソル８４を所望のアイコン上に移動させ、アイコンチェック用のボタン２８を押すことにより、複数ページに渡ってアイコンのチェックを行う。このようにして、ユーザによってチェックされたアイコンに関する情報は、ユーザインタフェース部１１が取得し、指定アイコン管理部２０に記録・管理するよう指示する。指定アイコン管理部２０が管理する情報は、チェックされた各アイコンを特定するためのページ番号とページ中のアイコンの位置に対応するボタン番号である。例えば、第１９図のアイコン集合８１においては、チェックマーク８５によって指定されているアイコンが２つあるので、それらのアイコンに対して指定アイコン管理部２０が管理する情報は、それぞれ
１ページ目、ボタン番号３
と
１ページ目、ボタン番号４
というものである。
アイコンがチェックされた状態において、アイコンチェック用のボタン２８を数秒間押しつづけると、ユーザインタフェース部１１によって、第２０図に示すように、ユーザがチェックしたアイコンのみから番組選択を行うためのユーザインタフェース画面が提供される。第２０図において、９１は第１９図おいてチェックされたアイコンから生成されたアイコン集合、９２は対応する番組の無い空のアイコン集合であり、これらのアイコンを選択しても番組選択は行われない。
次に、ユーザインタフェース部１１がどのように第２０図に示すようなユーザインタフェース画面を構成するかについて述べる。
ユーザインタフェース部１１は、アイコンがチェックされた状態において、ユーザによりアイコンチェック用のボタン２８が数秒間押し続けられたことを検出すると、指定アイコン管理部２０によって管理されているユーザがチェックしたアイコンに対するページ番号と、ボタン番号を取得する。
次にユーザインタフェース部１１は、第２０図に示すアイコン集合９１のように、ユーザがチェックしたアイコンを、割当後のボタン番号が小さい方から順に数字キーに割り当てる処理を実行する。即ち、アイコン集合９１は、アイコンがボタン番号１〜ボタン番号６にまとまるよう割り当てられている。一方、ボタン番号７〜ボタン番号９とボタン番号０に対応する位置には、有効なアイコンを割り当てずに、空のままとする。最後に、ユーザインタフェース部１１は、有効な番組を割り当てたアイコンに対して、放送中の番組に対してはボタン番号に対するチャンネルを、また録画番組に対しては番組記録部１６上の再生可能位置を、番組割当管理部１２へ記録・管理するよう指示する。
以上に述べたユーザによるアイコンのチェックと、チェックされたアイコンによる番組選択のユーザインタフェース画面の再構成は、上記実施の形態４に示すような複数ページに渡るアイコン表示の場合に限らず、単数ページの場合においても同様の仕組みで実現可能である。
以上に述べたように、リモコン１３の数字キー２１の配置に対応した形でアイコンを表示するユーザインタフェース画面を構成する際、ユーザが番組選択中に気になるアイコンをチェックしておき、その後、チェックされたアイコンから再度、番組選択のためのユーザインタフェース画面を再構成することにより、ユーザは興味のある番組を段階的に絞込みながら視聴する番組を探すことができる。
実施の形態７
第２１図はこの発明の実施の形態７による放送受信機を示す構成図であり、図において、第８図と同一符号は同一または相当部分を示すので説明を省略する。
２ａ，２ｂは互いに独立に番組のチューニングを実施するチューナである。
次に動作について説明する。
この実施の形態７では、アイコン表示部分に対して時分割で動画像を表示するユーザインタフェース画面を構成するものである。
ユーザインタフェース部１１は、まず番組情報取得部９により取得された番組情報から、アイコンに対応させて表示すべき番組を決定する。このとき、アイコンに対応させる番組が、現在放送中の番組であればチャンネルを、また番組記録部１６に記録された録画番組であれば番組記録部１６上の再生可能位置を、それぞれ番組割当管理部１２に記録・管理するよう指示を出力する。
第２２図はアイコンに対して時分割で動画像を表示するユーザインタフェース画面の例である。第２２図において、１０１は時分割で動画像が表示されるアイコン集合、１０２は現在選択中のアイコン、１０３は現在選択中の番組の動画像、１０４は録画番組に対応するアイコンである。この図の例においては、現在選択されているアイコン１０２に対応する動画像が、ユーザインタフェース画面上に表示されている。また、録画番組に対応するアイコン１０４の近傍には録画番組であることを明示するため、アイコン１０４の上に［録画］という文字が表示されている。
アイコン集合１０１中の各アイコン部分には、一定の時間間隔でボタン番号１に対応するアイコンから順に次々と動画像が表示されていく。即ち、ボタン番号１に対応するアイコンに例えば２秒間動画像が表示されたら、次はボタン番号２に対応するアイコンに２秒間動画像が表示され、ボタン番号３に２秒、ボタン番号４に２秒、・・・というように動画像が少しずつアイコン上に表示されていく。このとき、一定時間動画像を表示し終わったアイコンは、動画像を表示し終わった時点に表示されていた静止画を表示し続ける。
次に、第２２図のようなユーザインタフェース画面を実現するためのユーザインタフェース部１１の動作について述べる。
まず、ユーザインタフェース部１１は、アイコン部分は空のままユーザインタフェース画面を構成し、そのユーザインタフェース画面をグラフィクス処理部７に出力するとともに、アイコン部分に時分割で動画像を表示させるようシステム制御部１５に指示を与える。このときユーザインタフェース部１１は、システム制御部１５に対して、番組割当情報管理部１２より取得したアイコン集合１０１の各アイコンに対応するボタンへの番組割当情報を与える。
アイコン集合１０１において、ボタン番号１に対応するアイコンは現在放送中の番組である。このとき、システム制御部１５は、２つあるチューナのうち、例えば、チューナ２ａを主画面の動画像１０３の表示用に使用し、チューナ２ｂはアイコン表示用に使用する。このとき、チューナ２ａは、アイコン１０２に対応する現在選択中のチャンネルをチューニングし続けるが、チューナ２ｂは、ユーザインタフェース部１１より取得した番組割当情報を参照することにより、一定時間ボタン番号１に対応するチャンネルへチューニングを行った後、すぐにボタン番号２に対応するチャンネルへチューニングを切り替える。
ボタン番号２に対応するアイコンに動画像を表示し終わったら、次はボタン番号３に対応するアイコンに対して動画像を一定時間表示する。ボタン番号３に対応する番組は録画番組なので、このときシステム制御部１５は、チューナ２ｂは制御せずユーザインタフェース部１１より取得した番組割当情報を参照することにより、番組記録部１６上におけるボタン番号３に対応する録画番組を一定時間再生する。再生し終わったら、ボタン番号３のアイコンに対応する録画番組の番組記録部１６上における再生可能位置を一定時間再生した分だけ進めておくよう、ユーザインタフェース部１１に依頼する。なお、番組記録部１６は進める前の再生可能位置も引続き記録する。
主画面には常に動画像１０３が表示されており、また、アイコン集合１０１内においても常にいずれかのアイコンに対して動画像が表示されるので、デマルチプレクサ３、デコーダ４は、それぞれ並列に２系統のデータ処理が可能であるものとする。
また、この実施の形態７では、２つのチューナを用いているが，例えば数字キー２１のボタン数だけチューナを用意し（１０個用意）、デマルチプレクサ３，デコーダ４に最大でそれぞれ並列に１０系統のデータ処理が可能であるものを用いれば、全てのアイコン部分に対して滑らかな動画像を表示することも可能である。
以上に述べたように、リモコン１３の数字キー２１の配置に対応した形でアイコンを表示するユーザインタフェース画面を構成する際、表示するアイコンに動画像を用いることにより、静止画像を用いる場合よりも、より詳細な番組内容を参照しながら番組選択を行えるようになる。
産業上の利用可能性
以上のように、この発明に係る放送受信機は、ユーザインタフェース画面を表示して、ユーザによる番組選択の操作を補助するものに適している。
【図面の簡単な説明】
第１図は従来の放送受信機のユーザインタフェース画面を示す説明図である。
第２図は従来の放送受信機のリモコンを示す平面図である。
第３図はこの発明の実施の形態１による放送受信機を示す構成図である。
第４図はリモコン１３を示す平面図である。
第５図はユーザインタフェース画面を示す画面図である。
第６図はジャンルに対応するアイコンを示す説明図である。
第７図は数字キーとチャンネルの対応関係を示す説明図である。
第８図はこの発明の実施の形態２による放送受信機を示す構成図である。
第９図はユーザインタフェース画面を示す画面図である。
第１０図はこの発明の実施の形態３による放送受信機を示す構成図である。
第１１図はユーザインタフェース画面を示す画面図である。
第１２図はユーザインタフェース画面を示す画面図である。
第１３図はユーザインタフェース画面を示す画面図である。
第１４図はチャンネル番号を基準にして並び替えた番組の分割の様子を示す説明図である。
第１５図はジャンル別に番組を並び替えて番組を分割した様子を示す説明図である。
第１６図はこの発明の実施の形態５による放送受信機を示す構成図である。
第１７図はユーザによる文字列の入力画面を示す画面図である。
第１８図はこの発明の実施の形態６による放送受信機を示す構成図である。
第１９図はユーザが気になる番組に対してチェックを行った様子を示す説明図である。
第２０図はユーザインタフェース画面を示す画面図である。
第２１図はこの発明の実施の形態７による放送受信機を示す構成図である。
第２２図はユーザインタフェース画面を示す画面図である。
【図１】
2003032631.tif 000003
【図２】
2003032631.tif 000004
【図３】
2003032631.tif 000005
【図４】
2003032631.tif 000006
【図５】
2003032631.tif 000007
【図６】
2003032631.tif 000008
【図７】
2003032631.tif 000009
【図８】
2003032631.tif 000010
【図９】
2003032631.tif 000011
【図１０】
2003032631.tif 000012
【図１１】
2003032631.tif 000013
【図１２】
2003032631.tif 000014
【図１３】
2003032631.tif 000015
【図１４】
2003032631.tif 000016
【図１５】
2003032631.tif 000017
【図１６】
2003032631.tif 000018
【図１７】
2003032631.tif 000019
【図１８】
2003032631.tif 000020
【図１９】
2003032631.tif 000021
【図２０】
2003032631.tif 000022
【図２１】
2003032631.tif 000023
【図２２】
2003032631.tif 000024
【手続補正書】
【提出日】平成14年4月18日(2002.4.18)
【手続補正１】
【補正対象書類名】明細書
【補正対象項目名】特許請求の範囲
【補正方法】変更
【補正の内容】
【特許請求の範囲】
【請求項１】
現在放送中又は放送予定の番組の番組情報を取得する番組情報取得手段と、上記番組情報取得手段により取得された番組情報を参照して、その番組に関連するアイコンを特定し、そのアイコンをリモコンのチャンネル選択ボタンの配置と対応付けながらユーザインタフェース画面上に表示し、表示対象となるアイコンの個数がチャンネル選択ボタンの個数を越える場合、それらのアイコンを複数のユーザインタフェース画面に振り分けるアイコン表示手段と、ユーザが任意のチャンネル選択ボタンを操作すると、そのチャンネル選択ボタンに対応するアイコンに係る番組を選択する番組選択手段とを備えた放送受信機。
【請求項２】
アイコン表示手段は、ある番組が録画され、その番組の番組情報が記録されている場合、その番組の番組情報を参照して、その番組に関連するアイコンを特定し、そのアイコンをリモコンのチャンネル選択ボタンの配置と対応付けながらユーザインタフェース画面上に表示することを特徴とする請求の範囲第１項記載の放送受信機。
【請求項３】
アイコン表示手段は、番組情報に対する検索条件が与えられた場合、その検索条件に合致する番組情報を参照して番組に関連するアイコンを特定することを特徴とする請求の範囲第１項記載の放送受信機。
【請求項４】
アイコン表示手段は、検索条件に合致する番組情報を参照して番組に関連するアイコンを特定しても、そのアイコンの個数がチャンネル選択ボタンの個数に満たない場合、その検索条件に合致しない番組情報も参照して番組に関連するアイコンを特定することを特徴とする請求の範囲第３項記載の放送受信機。
【請求項５】
削除
【請求項６】
番組選択手段は、ユーザがページ間移動キーを操作すると、表示対象のユーザインタフェース画面を切り替えることを特徴とする請求の範囲第１項記載の放送受信機。
【請求項７】
アイコン表示手段により特定されるアイコンは、番組のジャンルを象徴する画像であることを特徴とする請求の範囲第１項記載の放送受信機。
【請求項８】
アイコン表示手段により特定されるアイコンは、番組の動画像であることを特徴とする請求の範囲第１項記載の放送受信機。
【請求項９】
アイコン表示手段により特定されるアイコンは、番組の動画像中の一部を構成する静止画像であることを特徴とする請求の範囲第１項記載の放送受信機。
【請求項１０】
アイコン表示手段により特定されるアイコンは、番組情報取得手段により取得された番組情報中の文字列に関連付けられていることを特徴とする請求の範囲第１項記載の放送受信機。
【請求項１１】
アイコン表示手段により特定されるアイコンは、番組情報取得手段により取得された番組情報中のビット列に関連付けられていることを特徴とする請求の範囲第１項記載の放送受信機。
【請求項１２】
現在放送中又は放送予定の番組の番組情報を取得する番組情報取得手段と、放送中又は録画済みの番組動画像の中からユーザに指定されたタイミングで取り込んだ静止画像を、ユーザに指定された文字列と関連づけて、番組選択時に用いるアイコンとして保存するアイコン取得手段と、上記番組情報取得手段により取得された番組情報を参照した際、番組情報中に上記アイコン取得手段によってユーザが登録した文字列が存在すれば、予めユーザによりその文字列に関連づけられたアイコンを特定し、そのアイコンをリモコンのチャンネル選択ボタンの配置と対応づけながらユーザインタフェース画面上に表示するアイコン表示手段とを備えた放送受信機。
【請求項１３】
アイコン表示手段は、リモコンのチャンネル選択ボタン上に示されている記号を対応するアイコンの近傍に表示することを特徴とする請求の範囲第１項記載の放送受信機。
【請求項１４】
アイコン表示手段は、現在選択されている番組の動画像をユーザインタフェース画面上に表示することを特徴とする請求の範囲第１項記載の放送受信機。
【請求項１５】
アイコン表示手段は、現在選択されている番組の番組情報をユーザインタフェース画面上に表示することを特徴とする請求の範囲第１項記載の放送受信機。
【請求項１６】
削除
【請求項１７】
削除
【請求項１８】
削除
【請求項１９】
削除
【請求項２０】
削除
【請求項２１】
アイコン表示手段は、録画されている番組に対応するアイコンの上に特定の記号を表示することを特徴とする請求の範囲第２項記載の放送受信機。
【請求項２２】
アイコン表示手段は、ユーザにより１以上のアイコンが暫定的に指定された場合、これらのアイコンのみをユーザインタフェース画面上に表示することを特徴とする請求の範囲第１項記載の放送受信機。
【請求項２３】
アイコン表示手段は、番組に関連するアイコンを特定する際、アイコン取得手段によりユーザが登録したアイコンの他に予め装置内に登録されたアイコンがその番組の番組情報に関連づけられる場合、アイコン取得手段によりユーザが登録したアイコンを優先して番組に対する関連付けを行うことを特徴とする請求の範囲第１２項記載の放送受信機。
【請求項２４】
アイコン表示手段は、番組に関連するアイコンを特定する際、その番組の番組情報中にアイコン取得手段によってユーザが登録した文字列が複数存在する場合、最も現在時刻に近い時刻に登録した文字列に対応するアイコンを優先して関連付けを行うことを特徴とする請求の範囲第１２項記載の放送受信機。
【請求項２５】
アイコン取得手段は、動画像を視聴するユーザからアイコン取得を希望する入力があった際、その時刻において表示されていた動画像中の一部を構成する静止画像を表示中の動画像の上に重ねて表示し、その静止画像に対してユーザが関連付けを希望する単語も同画面に表示することを特徴とする請求の範囲第１２項記載の放送受信機。
【手続補正２】
【補正対象書類名】明細書
【補正対象項目名】０００２
【補正方法】変更
【補正の内容】
【０００２】
い番組を探しながら高速にチャンネルを切り替える「ザッピング」を行うことが困難である課題があった。
例えば、ｃｈ１に対応するアイコン３０１の位置にカーソルがある場合、ＷＥＢに対応するアイコン３０２の位置にある番組を選択するには、カーソル移動キー３１２〜３１５によってカーソルを例えば右、右、下、右といったように移動させた後、エンターキー３１１を押す必要がある。この場合、ユーザは計５回ものボタン操作を行う必要があり、高速にチャンネルを切り替えることが困難であった。
この発明は上記のような課題を解決するためになされたもので、ユーザのリモコン操作を簡単化することができる放送受信機を得ることを目的とする。
発明の開示
この発明に係る放送受信機は、番組情報取得手段により取得された番組情報を参照して、その番組に関連するアイコンを特定し、そのアイコンをリモコンのチャンネル選択ボタンの配置と対応付けながらユーザインタフェース画面上に表示し、表示対象となるアイコンの個数がチャンネル選択ボタンの個数を越える場合、それらのアイコンを複数のユーザインタフェース画面に振り分けるようにしたものである。
このことによって、ユーザのリモコン操作を簡単化することができるとともに、番組に関連するアイコンの個数がチャンネル選択ボタンの個数を越える場合にも対処することができる効果がある。
この発明に係る放送受信機は、ある番組が録画され、その番組の番組情報が記録されている場合、その番組の番組情報を参照して、その番組に関連するアイコンを特定し、そのアイコンをリモコンのチャンネル選択ボタンの配置と対応付けながらユーザインタフェース画面上に表示す


【手続補正３】
【補正対象書類名】明細書
【補正対象項目名】０００３
【補正方法】変更
【補正の内容】
【０００３】
るようにしたものである。
このことによって、録画番組の選択操作も放送中の番組操作と同様に簡単化することができる効果がある。
この発明に係る放送受信機は、番組情報に対する検索条件が与えられた場合、その検索条件に合致する番組情報を参照して番組に関連するアイコンを特定するようにしたものである。
このことによって、所望の番組を速やかに選択することができる効果がある。
この発明に係る放送受信機は、検索条件に合致する番組情報を参照して番組に関連するアイコンを特定しても、そのアイコンの個数がチャンネル選択ボタンの個数に満たない場合、その検索条件に合致しない番組情報も参照して番組に関連するアイコンを特定するようにしたものである。
このことによって、検索条件に合致しない番組も選択することができる効果がある。
この発明に係る放送受信機は、ユーザがページ間移動キーを操作すると、表示対象のユーザインタフェース画面を切り替えるようにしたものである。
このことによって、番組に関連するアイコンの個数がチャンネル選択ボタンの個数を越える場合にも、所望の番組を速やかに選択することができる効果がある。
この発明に係る放送受信機は、アイコン表示手段により特定されるアイコンが番組のジャンルを象徴する画像であるようにしたものである。
このことによって、ユーザがアイコンを見ることによって番組の内容を容易に連想することができる効果がある。
この発明に係る放送受信機は、アイコン表示手段により特定されるア


【手続補正４】
【補正対象書類名】明細書
【補正対象項目名】０００４
【補正方法】変更
【補正の内容】
【０００４】
イコンが番組の動画像であるようにしたものである。
このことによって、ユーザがアイコンを見ることによって番組の内容を容易に連想することができる効果がある。
この発明に係る放送受信機は、アイコン表示手段により特定されるアイコンが番組の動画像中の一部を構成する静止画像であるようにしたものである。
このことによって、ユーザがアイコンを見ることによって番組の内容を容易に連想することができる効果がある。
この発明に係る放送受信機は、アイコン表示手段により特定されるアイコンが番組情報取得手段により取得された番組情報中の文字列に関連付けられているようにしたものである。
このことによって、ユーザがアイコンを見ることによって番組の内容を容易に連想することができる効果がある。
この発明に係る放送受信機は、アイコン表示手段により特定されるアイコンが番組情報取得手段により取得された番組情報中のビット列に関連付けられているようにしたものである。
このことによって、ユーザがアイコンを見ることによって番組の内容を容易に連想することができる効果がある。
この発明に係る放送受信機は、アイコン表示手段により特定されるアイコンがユーザにより指定された文字列に関連付けられているようにしたものである。
このことによって、ユーザが番組選択をより直感的に行うことができる効果がある。
この発明に係る放送受信機は、リモコンのチャンネル選択ボタン上に示されている記号を対応するアイコンの近傍に表示するようにしたものである。


【手続補正５】
【補正対象書類名】明細書
【補正対象項目名】０００５
【補正方法】変更
【補正の内容】
【０００５】
このことによって、ユーザがリモコンのチャンネル選択ボタンとアイコンの対応関係を容易に把握することができる効果がある。
この発明に係る放送受信機は、現在選択されている番組の動画像をユーザインタフェース画面上に表示するようにしたものである。
このことによって、現在選択されている番組を確認することができる効果がある。
この発明に係る放送受信機は、現在選択されている番組の番組情報をユーザインタフェース画面上に表示するようにしたものである。
このことによって、現在選択されている番組の番組情報を確認することができる効果がある。
この発明に係る放送受信機は、録画されている番組に対応するアイコンの上に特定の記号を表示するようにしたものである。
このことによって、録画番組を簡単に識別することができる効果がある。
この発明に係る放送受信機は、ユーザにより１以上のアイコンが暫定的に指定された場合、これらのアイコンのみをユーザインタフェース画面上に表示するようにしたものである。
このことによって、ユーザが興味のある番組を段階的に絞込みながら視聴する番組を探すことができる効果がある。
この発明に係る放送受信機は、番組に関連するアイコンを特定する際、アイコン取得手段によりユーザが登録したアイコンの他に予め装置内に登録されたアイコンがその番組の番組情報に関連づけられる場合、アイコン取得手段によりユーザが登録したアイコンを優先して番組に対する関連付けを行うようにしたものである。
このことによって、ユーザが登録したアイコンを優先することができる効果がある。


【手続補正６】
【補正対象書類名】明細書
【補正対象項目名】０００６
【補正方法】変更
【補正の内容】
【０００６】
この発明に係る放送受信機は、番組に関連するアイコンを特定する際、その番組の番組情報中にアイコン取得手段によってユーザが登録した文字列が複数存在する場合、最も現在時刻に近い時刻に登録した文字列に対応するアイコンを優先して関連付けを行うようにしたものである。
このことによって、最も現在時刻に近い時刻に登録した文字列に対応するアイコンを優先することができる効果がある。
この発明に係る放送受信機は、動画像を視聴するユーザからアイコン取得を希望する入力があった際、その時刻において表示されていた動画像中の一部を構成する静止画像を表示中の動画像の上に重ねて表示し、その静止画像に対してユーザが関連付けを希望する単語も同画面に表示するようにしたものである。
このことによって、ユーザが関連付けを希望する単語も画面に表示することができる効果がある。
図面の簡単な説明
第１図は従来の放送受信機のユーザインタフェース画面を示す説明図である。
第２図は従来の放送受信機のリモコンを示す平面図である。
第３図はこの発明の実施の形態１による放送受信機を示す構成図である。




【国際調査報告】
2003032631.tif 000025
2003032631.tif 000026
2003032631.tif 000027
2003032631.tif 000028